(57)【要約】【課題】データの伝送ができない子局が誤って選択されるのを防ぐ。【解決手段】親機１の制御部１７は、一定の時間間隔で各カメラ子器３Ａ〜３Ｃと副親機４Ａ〜４ＤのＩＤを順次ポーリングしながらチェックデータを含む制御信号の送信と応答を含む制御信号の受信とを繰り返し行うことでカメラ子器３Ａ〜３Ｃ並びに副親機４Ａ〜４Ｄの存在（動作状態）を定期的に確認する。そして、モニタ釦や内線呼釦が操作されると、親機１の制御部１７は、存在確認結果が不在となっているＩＤが割り当てられているカメラ子器３Ａ〜３Ｃや副親機４Ａ〜４Ｄに対応した釦Ｂ４〜Ｂ６，Ｂ１１〜Ｂ１４を映像モニタ選択画面Ｇ１又は内線呼出選択画面Ｇ２から削除して表示しない。その結果、データの伝送ができないカメラ子器３Ａ〜３Ｃや副親機４Ａ〜４Ｄが映像モニタ選択画面Ｇ１あるいは内線呼出選択画面Ｇ２で誤って選択されるのを防ぐことができる。【選択図】図１
2008034994.tif 000002
【特許請求の範囲】
【請求項１】
親局に対して複数台の子局が伝送線路で接続され、親局と各子局との間で伝送線路を介してデータを伝送する伝送システムであって、
親局は、少なくとも各子局と一対一に対応した識別情報を表示する表示手段と、表示手段に表示されている識別情報に基づいて何れかの子局を選択するための操作入力を受け付ける操作入力受付手段と、選択された子局に対してデータを伝送する伝送制御手段と、全ての子局に対して定期的に動作確認のためのデータを伝送制御手段より伝送させるとともに当該動作確認データに対して応答が返ってこない子局の識別情報を表示手段に表示させない表示制御手段とを備えたことを特徴とする伝送システム。
【請求項２】
伝送制御手段は、ポーリング方式によって動作確認データを伝送することを特徴とする請求項１記載の伝送システム。
【請求項３】
子局は、撮像手段で撮像した映像データを伝送するカメラ子局と、親局との間で通話用の音声データを伝送する通話子局とを含み、
親局は、選択されたカメラ子局から伝送される映像データを表示手段に表示させる映像制御手段と、選択された通話子局から受け取った音声データに基づいて音声を鳴動するとともに話者の音声を音声データに変換して伝送制御手段より当該通話子局へ伝送させる通話手段とを備えたことを特徴とする請求項１又は２記載の伝送システム。
【発明の詳細な説明】
【技術分野】
【０００１】
本発明は、親局に対して複数台の子局が伝送線路で接続され、親局と各子局との間で伝送線路を介してデータを伝送する伝送システムに関するものである。
【背景技術】
【０００２】
この種の伝送システムの一例として、特許文献１に記載されているようなインターホンシステムが存在する。かかるインターホンシステムは、住戸内に設置される親局（インターホン親機）と、住戸外（例えば、外玄関など）に設置されて来訪者が住戸人との通話に用いる通話子局（ドアホン子器）、住戸外に設置されて監視領域を撮像するカメラ子局（カメラ子器）、住戸内に設置されてインターホン親機との間で通話したり、インターホン親機を経由してドアホン子器との間で通話するための通話子局（インターホン副親機）などを含む複数台の子局とで構成され、親局（インターホン親機）と通話子局（ドアホン子器やインターホン副親機）との間で音声データを授受して通話するとともに、カメラ子局（カメラ子器）から伝送される映像データを親局（インターホン親機）が具備する表示デバイス（液晶ディスプレイ等）に表示するようになっている。
【０００３】
ここで、映像データを伝送させるカメラ子局や音声データを授受して通話する通話子局が各々複数台存在する場合、親局では、それぞれの子局と一対一に対応した識別情報を表示デバイスに表示し、使用者が識別情報に基づいて何れかの子局を選択する操作を行ったときに当該選択された子局に対して指令、例えば、カメラ子局（カメラ子器）に映像データを伝送させる指令や通話子局（インターホン副親機）を呼び出す指令（通話子局に呼出音を鳴動させる指令）等を伝送し、当該指令に基づいて、選択された子局から映像データや音声データが伝送されるようになっている。
【特許文献１】特開２００４−１３５１９９公報
【発明の開示】
【発明が解決しようとする課題】
【０００４】
ところで、上述のような従来システムにおいては、何れかの子局が意図的に停止（電源切）されていたり、あるいはシステム変更によって伝送線路から取り外されていたとしても、全ての子局の識別情報が親局の表示デバイスに表示されるようになっているため、停止していたり存在しない子局が誤って選択されてしまう場合があり、選択された子局からデータが伝送されないことから当該子局が故障していると勘違いされる虞があった。
【０００５】
本発明は上記事情に鑑みて為されたものであり、その目的は、データの伝送ができない子局が誤って選択されるのを防ぐことができる伝送システムを提供することにある。
【課題を解決するための手段】
【０００６】
請求項１の発明は、上記目的を達成するために、親局に対して複数台の子局が伝送線路で接続され、親局と各子局との間で伝送線路を介してデータを伝送する伝送システムであって、親局は、少なくとも各子局と一対一に対応した識別情報を表示する表示手段と、表示手段に表示されている識別情報に基づいて何れかの子局を選択するための操作入力を受け付ける操作入力受付手段と、選択された子局に対してデータを伝送する伝送制御手段と、全ての子局に対して定期的に動作確認のためのデータを伝送制御手段より伝送させるとともに当該動作確認データに対して応答が返ってこない子局の識別情報を表示手段に表示させない表示制御手段とを備えたことを特徴とする。
【０００７】
請求項２の発明は、請求項１の発明において、伝送制御手段は、ポーリング方式によって動作確認データを伝送することを特徴とする。
【０００８】
請求項３の発明は、請求項１又は２の発明において、子局は、撮像手段で撮像した映像データを伝送するカメラ子局と、親局との間で通話用の音声データを伝送する通話子局とを含み、親局は、選択されたカメラ子局から伝送される映像データを表示手段に表示させる映像制御手段と、選択された通話子局から受け取った音声データに基づいて音声を鳴動するとともに話者の音声を音声データに変換して伝送制御手段より当該通話子局へ伝送させる通話手段とを備えたことを特徴とする。
【発明の効果】
【０００９】
請求項１の発明によれば、親局の表示制御手段が、全ての子局に対して定期的に動作確認のためのデータを伝送制御手段より伝送させるとともに当該動作確認データに対して応答が返ってこない子局の識別情報を表示手段に表示させないので、動作確認データに対する応答を返してこない子局はデータの伝送ができないとみなし、当該子局の識別情報を表示手段に表示しないことで誤って選択されるのを防ぐことができる。
【００１０】
請求項２の発明によれば、複数台の子局が共通の伝送線路に接続されている場合に動作確認データやその応答が衝突するのを防ぐことができ、ひいては動作確認に要する時間が短縮できる。
【００１１】
請求項３の発明によれば、請求項１又は２の発明の効果を奏し、親局とカメラ子局と通話子局で構成されるインターホンシステムが実現できる。
【発明を実施するための最良の形態】
【００１２】
以下、本発明の技術思想を戸建て住戸向けのインターホンシステムに適用した実施形態について、図面を参照して詳細に説明する。
【００１３】
本実施形態のインターホンシステムは、住戸内に設置されるインターホン親機（以下、「親機」と略す。）１と、住戸外に設置される複数台（図示例では３台）のドアホン子器２Ａ，２Ｂ，２Ｃと、同じく住戸外に設置される複数台（図示例では３台）のカメラ子器３Ａ，３Ｂ，３Ｃと、住戸内に設置される複数台（図示例では４台）のインターホン副親機（以下、「副親機」と略す。）４Ａ，４Ｂ，４Ｃ，４Ｄとを備え、ドアホン子器２Ａとカメラ子器３Ａとが平衡２線式の伝送線路Ｌｓ１で親機１に送り接続され、ドアホン子器２Ｂとカメラ子器３Ｂとが平衡２線式の伝送線路Ｌｓ２で親機１に送り接続され、ドアホン子器２Ｃとカメラ子器３Ｃとが平衡２線式の伝送線路Ｌｓ３で親機１に送り接続され、副親機４Ａ〜４Ｄが平衡２線式の伝送線路Ｌｓ４で親機１に送り接続されて構成されている。なお、本実施形態では、親機１が親局に相当し、カメラ子器３Ａ〜３Ｃがカメラ子局、副親機４Ａ〜４Ｄが通話子局にそれぞれ相当する。
【００１４】
ドアホン子器２Ａ〜２Ｃは何れも共通の構成を有するものであって、マイクロホン２０ａ並びにスピーカ２０ｂと、２線−４線変換回路を含み、マイクロホン２０ａから出力する音声信号を信号処理するとともに伝送線路Ｌｓ１，Ｌｓ２，Ｌｓ３を介して伝送される音声信号を信号処理してスピーカ２０ｂから音声を鳴動させる音声信号処理部２０と、ＣＣＤやＣＭＯＳ等の個体撮像素子とレンズ等の光学系を有し来訪者を撮像するカメラ部２１と、カメラ部２１から出力する映像信号を音声信号よりも高い周波数で周波数変調するとともに周波数変調された映像信号を伝送線路Ｌｓ１，…を介して伝送する映像信号送信部２２と、音声信号処理部２０から出力する音声信号と映像信号送信部２２から出力する映像信号を周波数多重化して伝送線路Ｌｓ１，Ｌｓ２，Ｌｓ３に送出するとともに、伝送線路Ｌｓ１，Ｌｓ２，Ｌｓ３を介して親機１や副親機４Ａ〜４Ｄから伝送される音声信号を分離する多重分離部２３と、伝送線路Ｌｓ１，Ｌｓ２，Ｌｓ３を介して呼出信号を送信する呼出信号送信部２４と、マイコンを主構成要素とし全体の動作制御を行う制御部２５と、呼出釦（図示せず）の操作入力を受け付けて制御部２５に対して操作信号を出力する操作入力受付部２６と、後述するように伝送線路Ｌｓ１，Ｌｓ２，Ｌｓ３を介して親機１から給電される電力で各部の動作電源を作成する電源部２７とを備えている。
【００１５】
親機１からドアホン子器２Ａ〜２Ｃへの給電電圧（直流電圧）は、ドアホン子器２Ａ，…が通話状態あるいはモニタ状態（後述する）の何れでもないときはシステムの低消費電力化を図るために相対的に低い状態とされ、通話状態やモニタ状態では相対的に高い状態とされる。以下、給電電圧の低い状態のことを待機給電状態と呼び、給電電圧の高い状態のことを動作給電状態と呼ぶ。ドアホン子器２Ａ〜２Ｃにおいては、待機給電状態にあるときは制御部２５のマイコンがスタンバイ状態で操作入力受付部２６から操作信号が出力されるのを待っており、呼出釦が操作されて操作入力受付部２６から操作信号が出力されると、制御部２５は呼出信号送信部２４を制御して、伝送線路Ｌｓ１，…の線間電圧を待機給電状態よりもさらに低い電圧に低下させることで親機１に呼出信号を伝送する。そして、呼出信号を受信した親機１が給電電圧を待機給電状態から動作給電状態に移行すると、制御部２５のマイコンがスタンバイ状態から通常状態に復帰し、カメラ部２１並びに映像信号送信部２２を起動して映像信号を伝送線路Ｌｓ１，…を介して親機１に送信するとともに音声信号処理部２０を起動して音声信号の送受、すなわち、通話が可能な状態となる。また、後述するように親機１においてドアホン子器２Ａ，…をモニタ状態とする操作入力が受け付けられることで給電電圧を待機給電状態から動作給電状態に移行した場合、制御部２５のマイコンがスタンバイ状態から通常状態に復帰し、カメラ部２１並びに映像信号送信部２２を起動して映像信号を伝送線路Ｌｓ１，…を介して親機１に送信することでドアホン子器２Ａ，…のカメラ部２１で撮像した映像を親機１でモニタできるようになっている。
【００１６】
カメラ子器３Ａ〜３Ｃは何れも共通の構成を有するものであって、ＣＣＤやＣＭＯＳ等の個体撮像素子とレンズ等の光学系を有し監視領域を撮像するカメラ部３０と、カメラ部３０から出力する映像信号を音声信号よりも高い周波数で周波数変調するとともに周波数変調された映像信号を伝送線路Ｌｓ１，…を介して伝送する映像信号送信部３１と、親機１との間で伝送線路Ｌｓ１，…を介して制御信号を伝送する制御信号伝送部３２と、人体から放射される熱線を焦電素子で検知することにより監視領域における人の存在を検出して人体検出信号を出力する人体検出部３３と、マイコンを主構成要素とし全体の動作制御を行う制御部３４とを備えている。但し、カメラ子器３Ａ〜３Ｃの動作電源は、図示しない電源回路によって商用電源から作成される。
【００１７】
制御信号伝送部３２は、音声信号並びに周波数変調された映像信号の何れとも異なる周波数の搬送波を利用した周波数偏移変調（ＦＳＫ）方式で制御信号を伝送している。また、カメラ子器３Ａ〜３Ｃでは、図示しないディップスイッチによって固有のＩＤが割り当てられており、このＩＤを制御信号の送信先あるいは送信元のアドレスとすることで親機１と各カメラ子器３Ａ〜３Ｃとの間で個別に制御信号を授受するようになっている。
【００１８】
カメラ子器３Ａ〜３Ｃでは、人体検出部３３から出力される人体検出信号を受け取った制御部３４がカメラ部３０並びに映像信号送信部３１を起動して監視領域を撮像した映像信号を伝送線路Ｌｓ１，…を介して親機１に伝送し、あるいは、映像信号の送信を要求する制御信号を受け取ったときに制御部３４がカメラ部３０並びに映像信号送信部３１を起動して監視領域を撮像した映像信号を伝送線路Ｌｓ１，…を介して親機１に伝送するようになっている。
【００１９】
一方、親機１は、マイクロホン１０ａ並びにスピーカ１０ｂと、２線−４線変換回路を含み、マイクロホン１０ａから出力する音声信号を信号処理するとともに伝送線路Ｌｓ１，Ｌｓ２，Ｌｓ３を介して伝送される音声信号を信号処理してスピーカ１０ｂから音声を鳴動させる音声信号処理部１０と、液晶ディスプレイなどの表示デバイスを有するモニタ部１１と、伝送線路Ｌｓ１，…を介して伝送される映像信号を受信し且つ復調してモニタ部１１に表示させるとともに予め用意された画面データに基づいた種々の映像をモニタ部１１に表示させる映像信号処理部１２と、伝送線路Ｌｓ１，…の線間電圧を監視してドアホン子器２Ａ，…から送信される呼出信号を受信する呼出信号受信部１３と、カメラ子器３Ａ〜３Ｃ並びに副親機４Ａ〜４Ｄとの間でＦＳＫ方式により制御信号を伝送する制御信号伝送部１４と、音声信号、映像信号、制御信号を周波数多重化するとともに分離する多重分離部１５と、複数の押釦スイッチ（図示せず）並びにモニタ部１１が有する液晶ディスプレイの画面上に配設されるタッチパネル（図示せず）を具備して操作入力を受け付けるとともに受け付けた操作入力に対応した操作信号を出力する操作入力受付部１６と、マイコンを主構成要素とし全体の動作制御を行う制御部１７とを備えている。なお、図示はしていないが、商用電源から各部の動作電源を作成するとともに伝送線路Ｌｓ１，Ｌｓ２，Ｌｓ３を介してドアホン子器２Ａ〜２Ｃに給電する電源回路も備えている。
【００２０】
既に説明したように、例えばドアホン子器２Ａから送信された呼出信号を呼出信号受信部１３で受信すると、親機１の制御部１７が当該ドアホン子器２Ａへの給電電圧を待機給電状態から動作給電状態へ移行させるとともに音声信号処理部１０を制御してスピーカ１０ｂから呼出音を鳴動させる。一方、ドアホン子器２Ａでは制御部２５のマイコンがスタンバイ状態から通常状態に復帰し、カメラ部２１並びに映像信号送信部２２を起動して映像信号を伝送線路Ｌｓ１，…を介して親機１に送信するとともに音声信号処理部２０を起動する。親機１では、ドアホン子器２Ａから伝送されてくる映像信号を映像信号処理部１２で信号処理してモニタ部１１に来訪者の映像を表示し、呼出音を聞いた住戸人がモニタ部１１に表示されている来訪者の映像を見て押釦スイッチからなる通話釦（図示せず）を押操作すれば、操作入力受付部１６から操作信号が出力され、当該操作信号を受け取った制御部１７が音声信号処理部１０を起動してドアホン子器２Ａとの間で伝送線路Ｌｓ１を介して音声信号を授受することにより来訪者と住戸人とが通話できる。
【００２１】
また、何れかのカメラ子器（例えば、カメラ子器３Ａ）において監視領域に人の存在が検出されると、人体検出部３３から出力された人体検出信号を受け取った制御部３４がカメラ部３０並びに映像信号送信部３１を起動して監視領域を撮像した映像信号を伝送線路Ｌｓ１を介して親機１に伝送する。親機１では、カメラ子器３Ａから伝送されてくる映像信号を映像信号処理部１２で信号処理してモニタ部１１に監視領域の映像を表示する。さらに、カメラ子器３Ａから伝送されてくる映像を表示しているときに何れかのドアホン子器２Ａ，…から送信された呼出信号を受信した場合、若しくはドアホン子器２Ａ，…との通話中にカメラ子器３Ａ，…から映像信号が伝送されてきた場合、制御部１７は映像信号処理部１２に信号処理させて、これら２つの映像をモニタ部１１の画面に同時に表示させる。
【００２２】
ここで、親機１では３系統の伝送線路Ｌｓ１，Ｌｓ２，Ｌｓ３に対して映像信号を受信して信号処理する映像信号処理部１２を一つしか持たないので、映像信号同士の衝突を回避するために時分割多重伝送方式を採用している。すなわち、親機１の制御信号伝送部１４から伝送線路Ｌｓ１，Ｌｓ２，Ｌｓ３を介して伝送する制御信号によって規定される複数のタイムスロットにドアホン子器２Ａ〜２Ｃ並びにカメラ子器３Ａ〜３Ｃを個別に割り当て、それぞれの子器が自器に割り当てられたタイムスロットで映像信号を送信し、親機１の映像信号処理部１２において各タイムスロットで受信し且つ復調した映像信号から元の映像を再構成してモニタ部１１に表示させている。但し、時分割多重伝送の詳細については従来周知であるから説明を省略する。
【００２３】
副親機４Ａ〜４Ｄは何れも共通の構成を有するものであって、マイクロホン４０ａ並びにスピーカ４０ｂと、２線−４線変換回路を含み、マイクロホン４０ａから出力する音声信号を信号処理するとともに伝送線路Ｌｓ４を介して伝送される音声信号を信号処理してスピーカ４０ｂから音声を鳴動させる音声信号処理部４０と、液晶ディスプレイなどの表示デバイスを有するモニタ部４１と、伝送線路Ｌｓ４を介して伝送される映像信号を受信し且つ復調してモニタ部４１に表示させるとともに予め用意された画面データに基づいた種々の映像をモニタ部４１に表示させる映像信号処理部４２と、親機１との間でＦＳＫ方式により制御信号を伝送する制御信号伝送部４３と、音声信号、映像信号、制御信号を周波数多重化するとともに分離する多重分離部４４と、複数の押釦スイッチ（図示せず）並びにモニタ部４１が有する液晶ディスプレイの画面上に配設されるタッチパネル（図示せず）を具備して操作入力を受け付けるとともに受け付けた操作入力に対応した操作信号を出力する操作入力受付部４５と、マイコンを主構成要素とし全体の動作制御を行う制御部４６とを備えている。なお、各副親機４Ａ〜４Ｄには、図示しないディップスイッチによって固有のＩＤ（カメラ子器３Ａ〜３ＣのＩＤとも異なるＩＤ）が割り当てられており、このＩＤを制御信号の送信先あるいは送信元のアドレスとすることで親機１と各副親機４Ａ〜４Ｄとの間で個別に制御信号を授受するようになっている。
【００２４】
ここで、親機１ではドアホン子器２Ａ，…から呼出信号を受け取ったときに副親機４Ａ〜４Ｄに対してドアホン子器２Ａ，…からの呼出（以下、「ドアホン呼出」と呼ぶ。）を通知するための制御信号を送信し、また、後述するように親機１と副親機４Ａ〜４Ｄとの間で１対１又は１対多の内線通話を行うための操作が行われたときに副親機４Ａ〜４Ｄに対して呼出（以下、「内線呼出」と呼ぶ。）を通知するための制御信号を送信する。副親機４Ａ，…では、親機１から送信されたドアホン呼出の制御信号を制御信号伝送部４３で受信すると、制御部４６が音声信号処理部４０を制御してスピーカ４０ｂから呼出音を鳴動させるとともに、ドアホン子器２Ａ，…から親機１を経由して伝送されてくる映像信号を映像信号処理部４２で信号処理してモニタ部４１に来訪者の映像を表示し、呼出音を聞いた住戸人がモニタ部４１に表示されている来訪者の映像を見て押釦スイッチからなる通話釦（図示せず）を押操作すれば、操作入力受付部４５から操作信号が出力され、当該操作信号を受け取った制御部４６が音声信号処理部４０を起動してドアホン子器２Ａ，…との間で伝送線路Ｌｓ１〜Ｌｓ３，Ｌｓ４を介して音声信号を授受することにより来訪者と住戸人とが通話できる。あるいは、親機１から送信された内線呼出の制御信号を制御信号伝送部４３で受信すると、副親機４Ａ，…の制御部４６が音声信号処理部４０を制御してスピーカ４０ｂから呼出音を鳴動させ、呼出音を聞いた住戸人が押釦スイッチからなる通話釦（図示せず）を押操作すれば、操作入力受付部４５から操作信号が出力され、当該操作信号を受け取った制御部４６が音声信号処理部４０を起動して副親機４Ａ，…との間で伝送線路Ｌｓ１〜Ｌｓ３，Ｌｓ４を介して音声信号を授受することにより住戸人同士が通話（内線通話）できる。
【００２５】
ここで、親機１並びに副親機４Ａ〜４Ｄでは、何れかのドアホン子器２Ａ〜２Ｃ又はカメラ子器３Ａ〜３Ｃを選択して当該選択した子器に映像信号を伝送させてモニタ部１１，４１に映像を表示させる機能（映像モニタ機能）を有している。例えば、ドアホン子器２Ｃの映像モニタを行う場合、親機１の制御部１７は、当該ドアホン子器２Ｃへの給電電圧を待機給電状態から動作給電状態に移行する。その結果、ドアホン子器２Ｃの制御部２５のマイコンがスタンバイ状態から通常状態に復帰し、カメラ部２１並びに映像信号送信部２２を起動して映像信号を伝送線路Ｌｓ３を介して親機１に送信することでドアホン子器２Ｃのカメラ部２１で撮像した映像を親機１のモニタ部１１に表示して映像モニタを行うことができる。あるいは、カメラ子器３Ｃの映像モニタを行う場合、親機１の制御部１７は、当該カメラ子器３Ｃに対して映像信号の伝送を要求する指令を含む制御信号を制御信号伝送部１４から伝送させる。そして、この制御信号を制御信号伝送部３２で受信したカメラ子器３Ｃでは、制御部３４がカメラ部３０及び映像信号送信部３１を起動して映像信号を伝送線路Ｌｓ３を介して親機１に送信する。その結果、親機１では、カメラ子器３Ｃのカメラ部３０で撮像した映像をモニタ部１１に表示して映像モニタを行うことができる。なお、副親機４Ａ〜４Ｄで映像モニタを行う場合、対象のドアホン子器２Ａ〜２Ｃ又はカメラ子器３Ａ〜３Ｃを指定した映像モニタの開始要求を含む制御信号を副親機４Ａ〜４Ｄから親機１へ送信することにより、指定した子器に対して親機１が映像信号の伝送を行わせ、親機１を経由してドアホン子器２Ａ〜２Ｃ又はカメラ子器３Ａ〜３Ｃから映像信号を受け取って副親機４Ａ〜４Ｄのモニタ部４１に映像を表示することができる。
【００２６】
ところで親機１においては、図示しないモニタ釦（押釦スイッチ）が押操作されて操作入力受付部１６から操作信号が出力されると、その操作信号を受け取った制御部１７が映像信号処理部１２を制御し、図２（ａ）に示すように映像モニタ可能な子器（ドアホン子器２Ａ〜２Ｃ並びにカメラ子器３Ａ〜３Ｃ）に対応する釦Ｂ１〜Ｂ６が縦横に配置された映像（以下、「映像モニタ選択画面」と呼ぶ。）Ｇ１をモニタ部１１に表示させる。例えば、映像モニタ選択画面においてカメラ子器３Ａに対応する釦Ｂ４の表示位置がタッチされると、操作入力受付部１６から制御部１７に対してタッチパネルのタッチ位置を示す操作信号が出力され、この操作信号に基づいて当該釦Ｂ４が操作されたことを制御部１７で認識する。そして、制御部１７は釦Ｂ４に対応するカメラ子器３Ａが選択されたと判別して、上述のようにカメラ子器３Ａに映像信号を伝送させてモニタ部１１に映像を表示させる。さらに親機１においては、図示しない内線呼釦（押釦スイッチ）が押操作されて操作入力受付部１６から操作信号が出力されると、その操作信号を受け取った制御部１７が映像信号処理部１２を制御し、図２（ｃ）に示すように副親機４Ａ〜４Ｄに対応する釦Ｂ１０〜Ｂ１４が縦横に配置された映像（以下、「内線呼出選択画面」と呼ぶ。）Ｇ２をモニタ部１１に表示させる（但し、釦Ｂ１０は全ての副親機４Ａ〜４Ｄを一斉に呼び出す一斉呼出に対応した釦である）。例えば、内線呼出選択画面Ｇ２において副親機４Ａに対応する釦Ｂ１１の表示位置がタッチされると、操作入力受付部１６から制御部１７に対してタッチパネルのタッチ位置を示す操作信号が出力され、この操作信号に基づいて当該釦Ｂ１１が操作されたことを制御部１７で認識する。そして、制御部１７は釦Ｂ１１に対応する副親機４Ａが選択されたと判別して、上述のように副親機４Ａに対して内線呼出の制御信号を送信する。すなわち、本実施形態ではカメラ子器３Ａ〜３Ｃや副親機４Ａ〜４Ｄと一対一に対応している釦Ｂ４〜Ｂ６，Ｂ１１〜Ｂ１４が識別情報に相当する。
【００２７】
ここで、何れかのカメラ子器３Ａ〜３Ｃや副親機４Ａ〜４Ｄが意図的に停止（電源切）されていたり、あるいはシステム変更によって伝送線路Ｌｓ１，…から取り外されていた場合に、選択されても実際にはデータ（映像信号）の伝送ができないカメラ子器３Ａ〜３Ｃに対応した釦Ｂ４〜Ｂ６が映像モニタ選択画面Ｇ１に表示されたり、データ（内線呼出のための制御信号）の伝送ができない副親機４Ａ〜４Ｄに対応した釦Ｂ１１〜Ｂ１４が内線呼出選択画面Ｇ２に表示されていると、従来技術で説明したようにデータ伝送できないカメラ子器３Ａ〜３Ｃや副親機４Ａ〜４Ｄが誤って選択されてしまう虞がある。
【００２８】
そこで本実施形態では、親機１からカメラ子器３Ａ〜３Ｃ並びに副親機４Ａ〜４Ｄに対して定期的に動作確認のためのデータ（チェックデータ）を含む制御信号を送信し、送信後の一定時間内にチェックデータに対する応答（肯定応答：ＡＣＫ）を含んだ制御信号がカメラ子器３Ａ〜３Ｃ又は副親機４Ａ〜４Ｄから伝送されてこない場合に、応答のなかったカメラ子器（例えば、カメラ子器３Ｂ）に対応した釦Ｂ５を映像モニタ選択画面Ｇ１に表示せず（図２（ｂ）参照）、あるいは、応答のなかった副親機（例えば、副親機４Ｄ）に対応した釦Ｂ１４を内線呼出選択画面Ｇ２に表示しないようにしている。
【００２９】
すなわち、親機１の制御部１７は、一定の時間間隔で各カメラ子器３Ａ〜３Ｃと副親機４Ａ〜４ＤのＩＤを順次ポーリングしながらチェックデータを含む制御信号の送信と応答を含む制御信号の受信とを繰り返し行うことでカメラ子器３Ａ〜３Ｃ並びに副親機４Ａ〜４Ｄの存在（動作状態）を定期的に確認し、図示しないメモリに各カメラ子器３Ａ〜３Ｃ及び副親機４Ａ〜４Ｄの存在確認結果（存在／不在）をＩＤと対応付けて記憶している。そして、モニタ釦や内線呼釦が操作されると、親機１の制御部１７は、メモリに記憶している存在確認結果が不在となっているＩＤがあれば、当該ＩＤが割り当てられているカメラ子器３Ａ〜３Ｃや副親機４Ａ〜４Ｄに対応した釦Ｂ４〜Ｂ６，Ｂ１１〜Ｂ１４を映像モニタ選択画面Ｇ１又は内線呼出選択画面Ｇ２から削除して表示しない。
【００３０】
而して、チェックデータに対する応答を返してこないカメラ子器３Ａ〜３Ｃや副親機４Ａ〜４Ｄはデータの伝送ができないとみなし、その識別情報たる釦Ｂ４〜Ｂ６，Ｂ１１〜Ｂ１４を映像モニタ選択画面Ｇ１又は内線呼出選択画面Ｇ２から削除して親機１のモニタ部１１に表示しないことにより、データの伝送ができないカメラ子器３Ａ〜３Ｃや副親機４Ａ〜４Ｄが映像モニタ選択画面Ｇ１あるいは内線呼出選択画面Ｇ２で誤って選択されるのを防ぐことができる。また、チェックデータを含む制御信号の伝送をポーリング方式で行っているので、チェックデータを含む制御信号やチェックデータに対する応答を含んだ制御信号が衝突するのを防ぐことができ、ひいては動作確認に要する時間が短縮できるという利点がある。なお、ドアホン子器２Ａ〜２Ｃについては、伝送線路Ｌｓ１，Ｌｓ２，Ｌｓ３を介して親機１から給電しているため、各伝送線路Ｌｓ１，Ｌｓ２，Ｌｓ３を流れる電流（＝ドアホン子器２Ａ〜２Ｃにおける消費電流）を計測することで存在（動作状態）の確認を行うことができる。但し、ドアホン子器２Ａ〜２Ｃについても、カメラ子器３Ａ〜３Ｃと同様に制御信号を用いて存在（動作状態）の確認を行うようにしても構わない。
【００３１】
ところで、映像モニタ選択画面Ｇ１並びに内線呼出選択画面Ｇ２は副親機４Ａ〜４Ｄのモニタ部４１においても表示されるものであるから、副親機４Ａ〜４Ｄの制御部４６でもカメラ子器３Ａ〜３Ｃや他の副親機４Ａ〜４Ｄの存在（動作状態）を把握している必要がある。そのために親機１の制御部１７は、副親機４Ａ〜４Ｄに対して定期的にチェックデータを含む制御信号を送信する前にメモリから読み出した存在確認結果を含む制御信号を毎回送信するようにしている。その結果、各副親機４Ａ〜４Ｄの制御部４６においてもカメラ子器３Ａ〜３Ｃや他の副親機４Ａ〜４Ｄの存在（動作状態）を把握することができ、存在確認結果が不在となっているＩＤがあれば、当該ＩＤが割り当てられているカメラ子器３Ａ〜３Ｃや副親機４Ａ〜４Ｄに対応した釦Ｂ４〜Ｂ６，Ｂ１１〜Ｂ１４を映像モニタ選択画面Ｇ１又は内線呼出選択画面Ｇ２から削除して表示しないようにできる。
【図面の簡単な説明】
【００３２】
【図１】本発明の実施形態（インターホンシステム）を示すシステム構成図である。
【図２】（ａ）〜（ｄ）は同上の動作説明図である。
【符号の説明】
【００３３】
１  インターホン親機（親局）
３Ａ〜３Ｃ  カメラ子器（カメラ子局）
４Ａ〜４Ｄ  インターホン副親機（通話子局）
１１  モニタ部（表示手段）
１２  映像信号処理部（表示制御手段）
１４  制御信号伝送部（伝送制御手段）
１６  操作入力受付部（操作入力受付手段）
１７  制御部（伝送制御手段、表示制御手段）
【図１】
2008034994.tif 000003
【図２】
2008034994.tif 000004